(57)【要約】【課題】  長い番組名を表示する際に、表示できる番組数及びチャンネル数が少なくなるような弊害をなくすことを可能にした電子番組表受信装置、デジタルテレビジョン装置及び電子機器を提供する。【解決手段】  各種の操作信号を入力するリモコン１１と、デジタル放送の受信信号をチューニングするチューナー１６と、表示装置２１と、番組名の一部又は全体とそれに対応した短縮文字列とが格納される短縮文字列登録保存部１３と、チューナー１６の受信信号に含まれる電子番組表の情報の内、表示対象となる電子番組表の情報と短縮文字列登録保存部１３に格納された番組名の一部又は全体とを対比して該当する短縮文字列を検索し、該当する短縮文字列がある場合にはそれを電子番組表の情報と置換した短縮後の番組名を含んだ電子番組表の情報を生成し、表示装置２１に表示させるＥＰＧ情報処理部１７とを備える。【選択図】        図１
2006197085.tif 000002
【特許請求の範囲】
【請求項１】
デジタル放送の受信信号をチューニングするチューナーと、
番組名の一部又は全体とそれに対応した短縮文字列とが格納される記憶部と、
前記チューナーの受信信号に含まれる電子番組表の情報の内、表示対象となっている電子番組表の情報と前記記憶部に格納された番組名の一部又は全体とを対比して該当する短縮文字列を検索し、該当する短縮文字列がある場合にはそれを前記電子番組表の情報と置換して短縮後の番組名を含んだ電子番組表の情報を生成するＥＰＧ情報処理手段と
を備えたことを特徴とする電子番組表受信装置。
【請求項２】
デジタル放送の受信信号をチューニングするチューナーと、
表示装置と、
番組名の一部又は全体とそれに対応した短縮文字列とが格納される記憶部と、
前記チューナーの受信信号に含まれる電子番組表の情報の内、表示対象となっている電子番組表の情報と、前記記憶部に格納された番組名の一部又は全体とを対比して該当する短縮文字列を検索し、該当する短縮文字列がある場合にはそれを前記電子番組表の情報と置換した短縮後の番組名を含んだ電子番組表の情報を生成し、表示装置に表示させるＥＰＧ情報処理部と
を備えたことを特徴とするデジタルテレビジョン装置。
【請求項３】
各種の操作信号を入力する操作部を備え、
前記ＥＰＧ情報処理部は、前記操作部により前記表示装置に表示された電子番組表の番組が特定されると、その番組の短縮前の番組名を含んだ当該番組の情報を前記表示装置に表示させることを特徴とする請求項２記載のデジタルテレビジョン装置。
【請求項４】
前記ＥＰＧ情報処理部は、前記番組の短縮前の番組名を含んだ当該番組の情報を電子番組表の欄外に表示させることを特徴とする請求項３記載のデジタルテレビジョン装置。
【請求項５】
請求項１記載の電子番組表受信装置又は請求項２〜４の何れかに記載のデジタルテレビジョン装置を内蔵したことを特徴とする電子機器。
【発明の詳細な説明】
【技術分野】
【０００１】
本発明は電子番組表受信装置、デジタルテレビジョン装置及び電子機器に関し、特に電子番組表（ＥＰＧ）の表示に関する。
【背景技術】
【０００２】
近年のテレビ放送はＢＳデジタル放送、ＣＳデジタル放送、地上デジタル放送と多様化してきているが、これらのデジタル放送においては電子番組表（ＥＰＧ：Electric Program Guide）を受信することが可能になっており、例えばデジタルテレビジョン装置においては電子番組表（ＥＰＧ）を表示することができる。この電子番組表（ＥＰＧ）は時間帯による放送番組を放送局毎に表示するが、番組タイトルが長くてセル（表示欄）に収まらない場合には、セルに収まらない残りの部分はその表示が省略されてしまうことがある。
【０００３】
このような問題を解決するために、例えば電子番組表（ＥＰＧ）のセルに入りきれない長い番組名の場合には、セルの長さを変更して番組名が全て入るようにしたものが提案されている（例えば特許文献１）。
【特許文献１】特開平１０−２８２４４号公報
【発明の開示】
【発明が解決しようとする課題】
【０００４】
しかし、上記のようにセルの長さを変更して番組名が全て入るようにすると、セルが大きくなることにより、全体として表示できる番組数及びチャンネル数が少なくなるという問題点があった。
【０００５】
本発明は、このような問題点を解決するためになされたものであり、長い番組名を表示する際に、表示できる番組数及びチャンネル数が少なくなるような弊害をなくすことを可能にした電子番組表受信装置、デジタルテレビジョン装置及び電子機器を提供することを目的とする。
【課題を解決するための手段】
【０００６】
本発明に係る電子番組表受信装置は、デジタル放送の受信信号をチューニングするチューナーと、番組名の一部又は全体とそれに対応した短縮文字列とが格納される記憶部と、前記チューナーの受信信号に含まれる電子番組表の情報の内、表示対象となる電子番組表の情報と前記記憶部に格納された番組名の一部又は全体とを対比して該当する短縮文字列を検索し、該当する短縮文字列がある場合にはそれを前記電子番組表の情報と置換して短縮後の番組名を含んだ電子番組表の情報を生成するＥＰＧ情報処理手段とを備えたものである。本発明においては、例えば長い番組名についてはその一部又は全部についての短縮名を記憶部に登録しておいて、電子番組表を表示する際には、その長い番組名をそれに対応した短縮名により表示することができるようにするので、従来のような表示できる番組数及びチャンネル数が少なくなるような弊害をなくすことが可能になっている。
【０００７】
また、本発明に係るデジタルテレビジョン装置は、デジタル放送の受信信号をチューニングするチューナーと、表示装置と、番組名の一部又は全体とそれに対応した短縮文字列とが格納される記憶部と、前記チューナーの受信信号に含まれる電子番組表の情報の内、表示対象となる電子番組表の情報と前記記憶部に格納された番組名の一部又は全体とを対比して該当する短縮文字列を検索し、該当する短縮文字列がある場合にはそれを前記電子番組表の情報と置換した短縮後の番組名を含んだ電子番組表の情報を生成し、表示装置に表示させるＥＰＧ情報処理部とを備えたものである。本発明においては、上述のように、長い番組名については短縮名を記憶部に登録しておいて、電子番組表を表示する際には、その短縮名により表示装置に表示する。このため、従来のように表示できる番組数及びチャンネル数が少なくなるような弊害をなくすことが可能になっている。
【０００８】
また、本発明に係るデジタルテレビジョン装置は、各種の操作信号を入力する操作部を備え、前記ＥＰＧ情報処理部は、前記操作部により前記表示装置に表示された電子番組表の番組が特定されると、その番組の短縮前の番組名を含んだ当該番組の情報を表示させる。本発明においては、操作部により前記表示装置に表示された電子番組表の番組が特定することにより、その番組の短縮前の番組名を含んだ当該番組の情報を表示装置に表示するようにしており、このため、視聴者は短縮された番組名と短縮前の番組名とを対比して見ることができるので、短縮の内容を知らない視聴者にとってもその内容を把握し易いものとなっている。
【０００９】
また、本発明に係るデジタルテレビジョン装置において、前記ＥＰＧ情報処理部は、前記番組の短縮前の番組名を含んだ当該番組の情報を電子番組表の欄外に表示させる。
【００１０】
また、本発明に係る電子機器は、上記の電子番組表受信装置又はテレビジョン装置を内蔵したものである。
【発明を実施するための最良の形態】
【００１１】
実施形態１．
図１は本発明の実施形態１に係るデジタルテレビジョン装置の構成を示すブロック図である。このデジタルテレビジョン装置は、本発明の電子番組受信装置を内蔵しており、図１に示されるように、リモコン１１、キー入力処理部１２、短縮文字列登録保存部１３、プリセット情報保存部１４、選局処理部１５、チューナー１６、ＥＰＧ情報処理部１７、映像音声処理部１８、映像出力部１９、音声出力部２０、表示装置２１及びスピーカー２２から構成されている。リモコン１１は、選局ボタン（ダイレクト選局ボタン、アップダウン選局ボタン）、電子番組表を表示させるためのＥＰＧボタン等の各種ボタンを備えており（後述の図２参照）、視聴者によって操作される。リモコン１１による操作信号はキー入力処理部１２において解析されて操作信号に対応した制御信号が出力される。短縮文字列登録保存部１３は、後述のように、置換前文字列と短縮置換文字列とが対で格納されている（図３参照）。プリセット情報保存部１４には、例えばリモコン１１のダイレクト選局ボタンとチャンネルとの関係が格納されている。
【００１２】
選局処理部１５は、視聴者がリモコン１１の選局ボタンの操作により見たいチャンネルを特定すると、その情報をキー入力処理部１２を介して取り込んで例えばプリセット情報保存部１４のデータを参照してチューナー１６に選局信号を出力し、チューナー１６ではその選局信号に対応したチャンネルが設定される。チューナー１６は例えばアンテナ（図示せず）と接続されており、アンテナは、周波数変換器を備え、例えばＣＳ（Ｃｏｍｍｕｎｉｃａｔｉｏｎ  Ｓａｔｅｌｌｉｔｅ）から送られてくるデジタル放送信号を受信して、周波数変換した信号をチューナー１６に出力する。チューナー１６は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。映像音声処理部１８は、デマルチプレクサ、ビデオデコーダ、オーディオデコーダ等を内蔵しており、前記トランスポート・ストリームを、デマルチプレクサにより例えばＭＰＥＧ２（Ｍｏｖｉｎｇ Ｐｉｃｔｕｒｅ Ｅｘｐｅｒｔｓ Ｇｒｏｕｐ２）のビデオストリーム及びオーディオストリーム等に分離し、ビデオストリームをビデオデコーダにより処理して、入力された可変長符号を復号して量子化係数や動きベクトルを求め、逆ＤＣＴ変換や動きベクトルに基づく動き補償制御等を行って映像出力部に出力する。映像出力部１９は映像音声処理部１８からの映像信号に基づいて表示装置２１に表示させる映像信号を生成するものであり、例えばスケーラー／ＯＳＤ（オンスクリーンデスプレイ）処理回路、フレームメモリ等を内蔵しており、例えばフレームメモリにフレーム毎にフレーム画像を生成し、そのフレーム画像（映像信号）を読み出してＤ／Ａ変換を行い、例えばコンポジット映像信号に変換して表示装置２１に出力し、表示装置２１はその映像信号によるＴＶ映像等を表示する。
【００１３】
また、映像音声処理部１８のオーディオストリームについては、ビデオデコーダが入力された符号化信号を復号し、音声信号（音声データ）を生成して音声出力部２０に出力し、音声出力部２０はその音声信号をＤ／Ａ変換し、例えば右（Ｒ）音のアナログ信号及び左（Ｌ）音のアナログ信号を生成して増幅して、スピーカー２２に出力することでスピーカー２２から音声が得られる。
【００１４】
ＥＰＧ情報処理部１７は、視聴者がリモコン１１の操作により電子番組を表示するボタン操作をすると、それをキー入力処理部１２を介して取り込んで、チューナー１６から出力されるトランスポート・ストリームからＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）の内の表示対象となっている電子番組表に関する情報を取り込んで、その情報（番組名）に関連する短縮文字列を短縮文字列登録保存部１３から取り込んで映像出力部１９に出力する。なお、この電子番組表に関する情報の取得については映像音声処理部１８のデマルチプレクサから取り込むようにしてもよい。映像出力部１９は内蔵したＯＳＤ処理回路により例えば既に表示装置２１に表示されている映像に上書きするような形式で電子番組表の映像信号を生成し、それを表示装置２１に表示させる。
【００１５】
以上のようにして、ユーザーがリモコン１１を操作してチャンネルを選択し、その選局信号がキー入力処理部１２及び選局処理部１５を介してチューナー１６に出力され、チューナー１６により選局されたチャンネルに相当するトランスポンダが選択され、それが映像音声処理部１８を介して映像出力部１９及び音声出力部２０にそれぞれ出力される。映像出力部１９は上述の信号処理を施して表示装置２１に該当するチャンネルの映像を表示させる。また、音声出力部２０はスピーカー２２に該当するチャンネルの音声を出力させる。
【００１６】
図２はリモコン１１の正面図であり、これには、ダイレクト選局ボタン（数値キー）１１ａ、アップダウン選局ボタン１１ｂ、ＥＰＧボタン１１ｃ、シフトボタン１１ｄ等の各種のボタン（キー）を備えており、キー入力処理部１２はそのリモコン１１の操作信号を取り込んで、その操作信号に対応した信号を例えば選局処理部１５及びＥＰＧ情報処理部１７にそれぞれ出力する。
【００１７】
図３は短縮文字列登録保存部１３に格納された置換前文字列と短縮置換文字列との関係を示したテーブルである。例えば、「ワールドリーグ」は「ＷＬ」とし、「世界名作劇場」は削除し、「陸送戦隊」は削除し、「こちら葛飾区鶴蟻公園前交番」は「こち鶴」とし、「月曜ロードショー」は「映画」とし、「ワールドビジネスカップ」は「ＷＢＣ」とする等、短縮（削除を含む）する文字例を予め設定して登録しておく。なお、短縮文字列登録保存部１３は本発明の記憶手段を構成している。
【００１８】
図４はＥＰＧ情報処理部１７の処理を示したフローチャートである。視聴者がリモコン１１のＥＰＧボタン１１ｃを押すと、ＥＰＧ情報処理部１７は電子番組表の表示処理を開始し、表示対象の電子番組表の情報をチューナー１６からの電子番組表（ＥＰＧ）の情報から取得する（Ｓ１１）。なお、表示対象の電子番組表とは、例えば本実施形態においては現在選局されているチャンネルを含めて数チャンネル分の電子番組表を示すものとする。そして、放送時刻、時間によりセルのサイズ及び位置をそれぞれ決定する（Ｓ１２）。例えば３０分ならば１行、１時間ならば２行とし、幅は表示チャンネル数の設定による。次に、番組タイトル（番組名）の文字列を図３の短縮文字列テーブルから検索する（Ｓ１３）。一致するものがあるどうかを判断し（Ｓ１４）、一致するものがない場合には、表示文字列＝番組タイトルとする（Ｓ１５）。一致するものがある場合には、表示文字列＝置換文字列とする（Ｓ１６）。そして、セルに表示文字列を埋め込み、セルに入りきれない部分はカットする（Ｓ１７）。そして、以上の処理を１画面分終了するまで繰り返す（Ｓ１８）。映像出力部１９はＥＰＧ情報処理部１７からの表示対象の番組表のデータを取得すると、ＯＳＤ処理回路（図示せず）により処理して既存の映像上に重ね書きをして表示対象の電子番組表を表示装置２１に表示させる。
【００１９】
図５（Ａ）（Ｂ）は図４の処理をして表示された電子番組表とその処理をしなかった参考例を示した図である。図５（Ａ）と（Ｂ）とを対比すると明らかなように、「サーカーワールドシリーズ」は「ＷＬ」と短縮されており、「世界名作劇場」は削除されており、「陸送戦隊」は削除されていることが分かる。
【００２０】
図６は図５（Ａ）の電子番組表が表示されている状態で、視聴者がリモコン１１を操作してカーソルを移動したときのＥＰＧ情報処理部１７の処理を示すフローチャートである。視聴者がリモコン１１のシフトボタン１１ｄを操作すると、ＥＰＧ情報処理部１７はその操作信号をキー入力処理部１２を介して取り込んでカーソルの移動を検出し、その位置を特定して太枠表示させる（Ｓ２１）。そして、その太枠表示されたセルは短縮表示がなされているかどうかを図３のテーブルを参照して判断する（Ｓ２２）。短縮表示がなされている場合には、短縮置換文字列を置換前文字列に変換して、電子番組表の欄の外の所定位置２３に表示せるためのデータを生成し、映像出力部１９を介して表示装置２１に表示させる（図５（Ａ）の下部参照）（Ｓ２３）。図５（Ａ）の例では、「フラダンスの犬」にカーソルが当てられており、その短縮前の全文「７：００−７：３０  世界名作劇場  フラダンスの犬」という文字列が表示される。
【００２１】
以上のように本実施形態１においては、上述のように例えば長い番組名についてはその一部又は全部についての短縮名を短縮文字列登録保存部１３に登録して保存し、電子番組表を表示する際には、その短縮名を用いて表示装置２１に表示するようにしたので、従来のように表示できる番組数及びチャンネル数が少なくなるような弊害をなくすことが可能になっている。リモコン１１の操作により表示装置２１に表示された電子番組表の番組を特定することにより、その番組の短縮前の番組名を含んだ当該番組の情報を表示装置２１に表示するようにしており、このため、視聴者は短縮された番組名と短縮前の番組名とを対比して見ることができるので、短縮の内容を知らない視聴者にとってもその内容を把握し易いものとなっている。
【００２２】
なお、上記の実施形態においては、操作手段の例としてリモコンを用いた例について説明したが、リモコンに代えて又はそれとともに、デジタルテレビジョン装置の本体に取付けられているボタン（キー）等を用いてもよい。また、上記の実施形態においては電子番組表を表示する際のチャンネル数を３個とした例について説明したが、その個数は任意の個数でよく、表示装置の画面の大きさに応じて設定するようにしてもよい。更に、本発明に係るデジタルテレビジョン装置は従前の機能を排除するものではなく、従前の機能に加えて上記の実施形態の機能を併せ持つものである。また、プリセット情報保存部１４の内容はリモコン１１の操作により任意変更されるものであり、視聴者の嗜好に合わせた短縮文字列に登録することもできる。
【００２３】
実施形態２．
なお、本発明の電子番組表受信装置は、図１のリモコン１１、キー入力処理部１２、短縮文字列登録保存部１３、プリセット情報保存部１４、選局処理部１５、チューナー１６及びＥＰＧ情報処理部１７から構成することができるが、これらの構成を内蔵した電子機器例えばデジタルチューナー内蔵機器に適用することができる。また、図１の表示装置２１及びスピーカー２２を省略した構成でテレビレコーダー（例えばＤＶＤレコーダー）を構成してもよし、或いは図１のデジタルテレビジョン装置をそっくり内蔵した複合機器に適用することも可能であり、本発明は例えば携帯機器のように画面が小さい電子機器に特に有効である。
【図面の簡単な説明】
【００２４】
【図１】本発明の実施形態１に係るデジタルテレビジョン装置の構成を示すブロック図。
【図２】リモコンの正面図。
【図３】リセット情報保存部に格納されたプリセット情報のテーブル。
【図４】ＥＰＧ情報処理部の処理を示したフローチャート。
【図５】１画面分の電子番組表の表示例（（Ａ）は本発明の例、（Ｂ）は参考例）。
【図６】ＥＰＧ情報処理部の処理（その２）を示したフローチャート。
【符号の説明】
【００２５】
１１ リモコン、１１ａ  ダイレクト選局ボタン、１１ｂ アップダウン選局ボタン、１１ｃ ＥＰＧボタン、１１ｄ シフトボタン、１２ キー入力処理部、１３ 短縮文字列登録保存部、１４ プリセット情報保存部、１５ 選局処理部、１６ チューナー、１７ ＥＰＧ情報処理部、１８ 映像音声処理部、１９ 映像出力部、２０ 音声出力部、２１ 表示装置、２２ スピーカ−。
【図１】
2006197085.tif 000003
【図２】
2006197085.tif 000004
【図３】
2006197085.tif 000005
【図４】
2006197085.tif 000006
【図５】
2006197085.tif 000007
【図６】
2006197085.tif 000008